(57)【特許請求の範囲】
【請求項１】
屋上やバルコニーやベランダ等の建築物の屋外部分の床を支える梁に固定されて、前記床の周縁上部に設けられる腰壁や手摺の支持柱を固定する柱脚部において、
前記柱脚部の上部表面にシーリング剤を塗布し、
前記シーリング剤の上から、少なくとも表面がポリ塩化ビニル等の合成樹脂でできている帯状の取付けシートを、その両端部が重なるように貼設し、
少なくとも前記取付けシートの両端部が重なった部分に固着具を打ち込み、
前記取付けシートの表面の合成樹脂と同種類の合成樹脂でできている防水部材を、その上端縁と前記取付けシートの上端縁とが略一致するようにして、溶着して取付け、
更に、前記取付けシートおよび前記防水部材の上端縁部分をコーキングすることを特徴とする前記柱脚部の防水構造。
【請求項２】
屋上やバルコニーやベランダ等の建築物の屋外部分の床を支える梁に固定されて、前記床の周縁上部に設けられる腰壁や手摺の支持柱を固定する柱脚部において、
前記柱脚部の上部表面にシーリング剤を塗布し、
前記シーリング剤の上から、少なくとも表面がポリ塩化ビニル等の合成樹脂でできている帯状の取付けシートを、その両端部が重なるように貼設し、
少なくとも前記取付けシートの両端部が重なった部分に固着具を打ち込み、前記取付けシートの表面の合成樹脂と同種類の合成樹脂でできていて、前記取付けシートの幅よりも幅が大きい仲介シートを、その上端縁と前記取付けシートの上端縁とが略一致するようにして溶着して巻き付け、
前記仲介シートの上から、その下部が重なるように、前記仲介シートと同種類の合成樹脂でできている防水部材を溶着して取付け、
更に、前記取付けシートおよび前記仲介シートの上端縁部分をコーキングすることを特徴とする柱脚部の防水構造。
【発明の詳細な説明】
【０００１】
【発明の属する技術分野】
本発明は、屋上やバルコニーやベランダ等の建築物の屋外部分の床を支える梁に固定されて、前記床の周縁上部に設けられる腰壁や手摺の支持柱を固定する柱脚部の防水構造に関するものである。
【０００２】
【従来の技術】
一般に、屋上やバルコニーやベランダ等の建築物の屋外部分の周縁には、腰壁や手摺が設けられており、これら腰壁や手摺は支持柱によって支えられている。
【０００３】
図１において、鉄骨造の建築物の場合、その支持柱２０の底部は柱脚部Ｓに固定され、この柱脚部Ｓの底部は躯体の梁１０に固定されている。
【０００４】
そこで、その柱脚部Ｓおよびその周辺部分の構造を説明する。
柱脚部Ｓは、柱部Ｓ１とその上下端のフランジ部Ｓ２，Ｓ３とからなる。柱脚部Ｓの取付けは、下端のフランジ部Ｓ３が梁１０にボルト・ナット４０で固定されることによってなされる。上端のフランジ部Ｓ２は、支持柱２０の底部を固定するのに使用される。また、柱脚部Ｓの取付けと同時に外壁３０も取付けられる。
【０００５】
柱脚部Ｓおよび外壁３０が取付けられた後、屋上やバルコニーやベランダ等の床が施工される。この施工は、図９に示すように、まず、ＡＬＣ等の床材１１が梁１０の上面に固定される。その後、例えば断熱材１２，不燃板１３，防水シート１４，排水マット１５，およびプレキャストブロック１６等が順に載置される。
【０００６】
特に前記防水シート１４は、前記柱脚部Ｓの柱部Ｓ１の表面や外壁３０の裏面および上端面等にも貼設され、雨水等の水が柱脚部Ｓの柱部Ｓ１の表面や外壁３０を伝わって建築物内部に浸入することを防いでいる。
【０００７】
【発明が解決しようとする課題】
しかし、上記従来の技術では、地震等の振動や変化する天候等により防水シート１４が柱脚部Ｓの柱部Ｓ１の表面から剥がれて、柱部Ｓ１の表面と防水シート１４との間に隙間ができると、その隙間から雨水等の水が毛細管現象により建築物内部に浸入するおそれがある。雨水等の水が建築物内部に浸入すると、梁１０等の躯体を腐食させ、建築物の強度を弱める。
【０００８】
本発明は、上記従来の課題に鑑みてなされたものであり、本発明の目的は、防水性の高い柱脚部の防水構造を提供することである。
【０００９】
【課題を解決するための手段】
上記目的を達成するために、本発明の柱脚部の防水構造は、柱脚部の上部表面にシーリング剤を塗布し、このシーリング剤の上から、少なくとも表面がポリ塩化ビニル等の合成樹脂でできている帯状の取付けシートを、その両端部が重なるように貼設し、少なくともこの取付けシートの両端部が重なった部分に固着具を打ち込み、この取付けシートの表面の合成樹脂と同種類の合成樹脂でできている防水部材を、その上端縁と前記取付けシートの上端縁とが略一致するようにして、溶着して取付け、更に、前記取付けシートおよび前記防水部材の上端縁部分をコーキングする防水構造である。
【００１０】
また、柱脚部の上部表面にシーリング剤を塗布し、このシーリング剤の上から、少なくとも表面がポリ塩化ビニル等の合成樹脂でできている帯状の取付けシートを、その両端部が重なるように貼設し、少なくともこの取付けシートの両端部が重なった部分に固着具を打ち込み、前記取付けシートの表面の合成樹脂と同種類の合成樹脂でできていて、前記取付けシートの幅よりも幅が大きい仲介シートを、その上端縁と前記取付けシートの上端縁とが略一致するようにして溶着して巻き付け、この仲介シートの上から、その下部が重なるように、この仲介シートと同種類の合成樹脂でできている防水部材を溶着して取付け、更に、前記取付けシートおよび前記仲介シートの上端縁部分をコーキングしてもよい。
【００１１】
【発明の実施の形態】
以下、本発明の実施の形態を図面に従って説明するが、図２〜４，６，７では、図１に示す柱脚部Ｓの上端のフランジ部Ｓ２およびこのフランジ部Ｓ２に固定される支持柱２０を省略している。
【００１２】
まず、上記従来の技術と同様にして、図１に示すように、柱脚部Ｓが梁１０にボルト・ナット４０で固定される。そして、図９に示すように、ＡＬＣ等の床材１１が梁１０の上面に固定された後、例えば断熱材１２，不燃板１３，および防水シート１４が順に載置される。
【００１３】
このとき、防水シート１４の載置は従来の技術と異なり、柱脚部Ｓの柱部Ｓ１の表面には貼設されず、図２に示すように、柱脚部Ｓの柱部Ｓ１を回避して載置される。なお、防水シート１４は、一般にポリ塩化ビニル等の合成樹脂でできている。
【００１４】
次に、柱脚部Ｓの柱部Ｓ１の上部表面である図２の斜線部分Ａにシーリング剤が塗布され、このシーリング剤の上から帯状の取付けシート１が貼設される。この取付けシート１は、帯状の薄い鋼板の表面および裏面に、前記防水シート１４と同種類の合成樹脂のフィルムが貼着される等してできている。取付けシート１の貼設は、取付けシート１の両端部が重なるように行われる。
【００１５】
なお、前記シーリング剤にはシリコンが適しているが、シーリング作用のある接着剤やシーリング作用のある両面テープであるブチルテープ等も前記シーリング剤に含まれる。
【００１６】
取付けシート１が貼設された後は、図３に示すように、取付けシート１の両端部が重なった部分にリベット等の固着具２が打ち込まれ、取付けシート１が確実に固着される。この固着具２は、必要に応じて取付けシート１の他の位置にも打ち込まれてもよい。
【００１７】
その後、図４に示すように、防水部材３が、その上端縁と前記取付けシート１の上端縁とが略一致するようにして、溶着されて取付けられる。この防水部材３は、前記取付けシート１の表面の合成樹脂と同種類の合成樹脂でできた成型品で、筒状部分３ａとその一端部に形成されたフランジ部分３ｂとからなる。
【００１８】
防水部材３の取付けは、この防水部材３に１本の切れ目を縦に入れ、この切れ目を開き、この開いた切れ目から前記柱脚部Ｓの柱部Ｓ１および取付けシート１を入れるようにして取付けてもいいし、図４に示すように、もう１本別の切れ目を縦に入れて防水部材３を２分割にし、この２分割された防水部材３で柱脚部Ｓの柱部Ｓ１および取付けシート１を挟むようにして取付けてもよい。そして、この取付け後、前記切れ目がコーキングされる。
【００１９】
また、防水部材３の取付けは溶着で行われる。この溶着は、取付けシート１の表面およびこの表面と当接する防水部材３の筒状部分３ａの内面、ならびに、防水部材３のフランジ部分３ｂの底面およびこの底面と当接する部分の防水シート１４が熱風や炎等で溶かされてなされる。このように溶着が可能となるように、防水シート１４，取付けシート１の表面，および防水部材３が同種類の合成樹脂でできている。
【００２０】
防水部材３が溶着されて取付けられた後は、図５に示すように、取付けシート１および防水部材３の上端縁部分Ｂがコーキングされて、柱脚部Ｓの防水構造が完成する。そしてその後は、上記従来の技術と同様に、例えば排水マット１５，およびプレキャストブロック１６等が順に載置される。
【００２１】
次に、他の実施の形態について説明するが、上述した実施の形態と異なる部分について主に説明し、同一部分又は相当部分には同一符号を付して、その詳しい説明を省略する。
図６に示すように、柱脚部Ｓの柱部Ｓ１の上部に貼設された取付けシート１と防水シート１４との距離が大きい場合は、仲介シート４を使用してもよい。すなわち、上述した実施の形態と同様にして取付けシート１にリベット等の固着具２が打ち込まれた後、仲介シート４が、その上端縁と取付けシート１の上端縁とが略一致するようにして、溶着されて巻き付けられる。
【００２２】
この仲介シート４は、取付けシート１の表面の合成樹脂と同種類の合成樹脂でできている。仲介シート４の取付けシート１への溶着は、取付けシート１の表面およびこの表面と当接する仲介シート４の内面が熱風や炎等で溶かされてなされる。
【００２３】
仲介シート４が溶着されて巻き付けられた後は、図７に示すように、防水部材３が、上述した実施の形態と同様にして、溶着されて取付けられる。すなわち、この溶着は、防水部材３の筒状部分３ａの内面と上端縁およびこの内面と当接する仲介シート４の表面、ならびに、防水部材３のフランジ部分３ｂの底面およびこの底面と当接する部分の防水シート１４が熱風や炎等で溶かされてなされる。
【００２４】
防水部材３が溶着されて取付けられた後は、図８に示すように、上述した実施の形態と同様にして、取付けシート１および仲介シート４の上端縁部分Ｂがコーキングされて、柱脚部Ｓの防水構造が完成する。
【００２５】
【発明の効果】
以上説明したように、請求項１の柱脚部の防水構造によれば、取付けシート，防水部材，および防水シートが溶着によって一体となり、その上端部はコーキングされ、その内面はシーリング剤によってシーリングされているので、防水性が高く、また、取付けシートが固着具によって確実に固着されているので、その一体となったものがずれたり動いたりすることがない。
【００２６】
また、請求項２の柱脚部の防水構造によれば、取付けシート，仲介シート，防水部材，および防水シートが溶着によって一体となり、その上端部はコーキングされ、その内面はシーリング剤によってシーリングされているので、防水性が高く、また、取付けシートが固着具によって確実に固着されているので、その一体となったものがずれたり動いたりすくことがない。
【図面の簡単な説明】
【図１】本発明の防水構造が施される柱脚部の斜視図である。
【図２】本発明の実施の形態を示す柱脚部の防水構造の施工工程の斜視図である。
【図３】同柱脚部の防水構造の施工工程の斜視図である。
【図４】同柱脚部の防水構造の施工工程の斜視図である。
【図５】同柱脚部の防水構造の断面図である。
【図６】本発明の他の実施の形態の柱脚部の防水構造の施工工程の斜視図である。
【図７】同柱脚部の防水構造の施工工程の斜視図である。
【図８】同柱脚部の防水構造の断面図である。
【図９】従来の技術の柱脚部の防水構造の断面図である。
【符号の説明】
Ｂ  上端縁部分
Ｓ  柱脚部
１  取付けシート
２  固着具
３  防水部材
４  仲介シート
１０  梁
２０  支持柱
【図１】
0003646955.tif 000002
【図２】
0003646955.tif 000003
【図３】
0003646955.tif 000004
【図４】
0003646955.tif 000005
【図５】
0003646955.tif 000006
【図６】
0003646955.tif 000007
【図７】
0003646955.tif 000008
【図８】
0003646955.tif 000009
【図９】
0003646955.tif 000010